(57)【要約】【課題】本発明はレバースイッチに関し、配線基板からの浮き上がりを防ぎ、スイッチ動作が確実なものを提供することを目的とする。【解決手段】共通接点１３及び固定接点１４をケース１１の内底面または複数の内側壁に植設すると共に、これらの端子部１３Ａ，１３Ｂ，１３Ｃや端子部１４Ａをケース１１の複数の側壁から突出させてレバースイッチを構成することによって、これらの複数の端子部を半田付けして、スイッチを配線基板１７等へ装着できるため、スイッチの配線基板からの浮き上がりを防止でき、スイッチ動作の確実なものを得ることができる。【選択図】図１
2004253378.tif 000002
【特許請求の範囲】
【請求項１】
内底面または複数の内側壁のいずれかに共通接点及び固定接点が植設され、一側壁に開口部を有する前面開放の箱形のケースと、このケースに回動可能に保持されると共に、駆動部が上記ケース内に収納され、操作部が上記開口部から外方へ突出したレバーと、このレバーの回動によって上記駆動部に押圧され、上記共通接点または固定接点の少なくとも一方と接離を行う可動接点からなり、
上記共通接点及び固定接点の端子部を、上記ケースの複数の側壁から突出させたレバースイッチ。
【請求項２】
共通接点及び固定接点の端子部とは別体に固定端子部を設け、この固定端子部を、ケースの側壁から突出した請求項１記載のレバースイッチ。
【請求項３】
共通接点及び固定接点をケースの隣接する内側壁に設けると共に、可動接点を略Ｖ字状の弾性金属薄板で形成し、この可動接点の折曲部の一端から延出した第一腕部先端の固定部を上記共通接点に弾接させ、レバーの駆動部が上記折曲部近傍を押圧することによって、上記折曲部他端から延出した第二腕部先端の接点部が上記固定接点へ摺動接離する請求項１記載のレバースイッチ。
【請求項４】
可動接点の第一腕部先端の固定部に突部を設け、この突部を共通接点に弾接させた請求項３記載のレバースイッチ。
【請求項５】
可動接点の第二腕部に切込みを設け、複数の接点部を形成した請求項３記載のレバースイッチ。
【請求項６】
レバー端部をケースに回動可能に保持した請求項１記載のレバースイッチ。
【発明の詳細な説明】
【技術分野】
【０００１】
本発明は、各種電子機器において、記録媒体の有無やメカニズムの動作検出等に用いられるレバースイッチに関するものである。
【背景技術】
【０００２】
近年、ビデオやパソコン等の各種電子機器の小型化や高機能化が進むなか、これらのテープやディスク等の記録媒体の有無、或いはメカニズムの動作検出等に用いられる検出用のレバースイッチにおいても、小型薄型で動作の確実なものが求められている。
【０００３】
このような従来のレバースイッチについて、図５〜図７を用いて説明する。
【０００４】
図５は従来のレバースイッチの断面図であり、同図において、１は前面開放で上側壁に開口部１Ａを備えた絶縁樹脂製の箱形のケース、２は中間の軸部２Ａがケース１に回動可能に保持されたレバーで、レバー２下面の駆動部２Ｂはケース１内に収納され、上面の操作部２Ｃはケース１の開口部１Ａから左斜め上方に突出している。
【０００５】
そして、３は金属薄板製の共通接点、４は同じく金属薄板製の固定接点で、これらがケース１の開口部１Ａと対向する下内側壁に植設されると共に、ケース１底壁内で折曲され、端子部３Ａと４Ａが各々ケース１底面から下方へ突出している。
【０００６】
また、５は弾性金属薄板製の可動接点で、Ｕ字状の折曲部５Ａの一端から延出した第一腕部５Ｂ先端が共通接点３に弾接すると共に、他端から延出した第二腕部５Ｃの中間部がレバー２下面の駆動部２Ｂに弾接し、第二腕部５Ｃ先端の接点部５Ｄと固定接点４との間には所定の空隙が設けられている。
【０００７】
さらに、これら共通接点３や固定接点４、可動接点５を収納したケース１の前面を、カバー（図示せず）が覆い、レバー２の軸部２Ａをケース１の内底面と平行方向に回動可能に保持して、レバースイッチが構成されている。
【０００８】
そして、このように構成されたレバースイッチは、図６の斜視図に示すように、上下面に複数の配線パターン（図示せず）が形成された配線基板７上に載置され、端子部３Ａと４Ａが所定の配線パターンに半田付けされて、機器の電子回路に電気的に接続される。
【０００９】
以上の構成において、レバー２上面の操作部２Ｃを、直接、又は所定の可動領域で押圧操作するための押圧操作体（図示せず）を介して所定の力で、下方向または左方向へ回動操作すると、図７の断面図に示すように、軸部２Ａを支点としてレバー２が下方向に回動するため、下面の駆動部２Ｂによって可動接点５が押圧されて撓み、第二腕部５Ｃ先端の接点部５Ｄが固定接点４に接触し、可動接点５を介して共通接点３と固定接点４が電気的に接続される。
【００１０】
また、レバー２の操作部２Ｃへの操作力を解除すると、可動接点５の弾性復帰力によって、駆動部２Ｂが上方向に押圧されてレバー２が回動すると共に、接点部５Ｄも固定接点４から離れ、図５の状態に復帰するように構成されているものであった。
【００１１】
なお、この出願の発明に関連する先行技術文献情報としては、例えば、特許文献１が知られている。
【特許文献１】実開平４−２７５４０号公報
【発明の開示】
【発明が解決しようとする課題】
【００１２】
しかしながら、上記従来のレバースイッチにおいては、ケース１の下内側壁に植設された共通接点３と固定接点４の、端子部３Ａと４Ａがケース１底面から下方へ突出し、配線基板７への半田付け箇所がケース１の下方向のみとなるため、レバー２やケース１へ上方向や左右方向から極端な力が加わると、スイッチが配線基板７から浮き上がったり、端子部３Ａ，４Ａが変形し上記押圧操作体（図示せず）の所定の可動領域外にレバーの操作部２Ｃが移動するなどして、スイッチが動作しなくなったり、動作の操作力が変わるなどのスイッチ動作が不確実なものとなるという課題があった。
【００１３】
本発明は、このような従来の課題を解決するものであり、スイッチの配線基板からの浮き上がりを防ぎ、スイッチ動作が確実なレバースイッチを提供することを目的とする。
【課題を解決するための手段】
【００１４】
上記目的を達成するために本発明は、以下の構成を有するものである。
【００１５】
本発明の請求項１に記載の発明は、共通接点及び固定接点をケースの内底面または複数の内側壁のいずれかに植設すると共に、これらの端子部をケースの複数の側壁から突出させてレバースイッチを構成したものであり、ケースの複数の側壁から突出した端子部を半田付けして、スイッチを配線基板等へ装着できるため、レバーやケースへ多少の力が加わった場合でも、スイッチの配線基板からの浮き上がりを防止でき、スイッチ動作の確実なレバースイッチを得ることができるという作用を有する。
【００１６】
請求項２に記載の発明は、請求項１記載の発明において、共通接点及び固定接点の端子部とは別体に固定端子部を設けたものであり、この固定端子部をも半田付けできるため、スイッチの配線基板からの浮き上がりを更に防止できるという作用を有する。
【００１７】
請求項３に記載の発明は、請求項１記載の発明において、共通接点及び固定接点をケースの隣接する内側壁に設けると共に、可動接点を略Ｖ字状の弾性金属薄板で形成し、この可動接点の折曲部の一端から延出した第一腕部先端の固定部を共通接点に弾接させ、レバーの駆動部が折曲部近傍を押圧することによって、折曲部他端から延出した第二腕部先端の接点部が固定接点へ摺動接離するものであり、可動接点の第一腕部先端の固定部が共通接点に弾接すると共に、第二腕部先端の接点部が固定接点へ摺動して接離を行うように構成されているため、可動接点が固定接点に接触した直後から一定の接触圧力が得られ、レバースイッチを接触の安定したものとすることができるという作用を有する。
【００１８】
請求項４に記載の発明は、請求項３記載の発明において、可動接点の第一腕部先端の固定部に突部を設け、この突部を共通接点に弾接させたものであり、可動接点と共通接点の安定した接続が得られるという作用を有する。
【００１９】
請求項５に記載の発明は、請求項３記載の発明において、可動接点の第二腕部に切込みを設け、複数の接点部を形成したものであり、可動接点と固定接点の安定した接触を得ることが得ることができるという作用を有する。
【００２０】
請求項６に記載の発明は、請求項１記載の発明において、レバー端部をケースに回動可能に保持したものであり、中間部ではなくレバー端部をケースに保持することによって、レバーの回動操作量を大きくすることができるという作用を有する。
【発明の効果】
【００２１】
本発明によるレバースイッチは、配線基板からの浮き上がりを防止でき、スイッチ動作の確実性を有し、各種電子機器において、記録媒体の有無やメカニズムの動作検出等に有用である。
【発明を実施するための最良の形態】
【００２２】
以下、本発明の実施の形態について、図１〜図４を用いて説明する。
【００２３】
（実施の形態）
図１は本発明の一実施の形態によるレバースイッチの断面図、図２は同分解斜視図であり、同図において、１１は前面開放で上側壁に開口部１１Ａを備えた絶縁樹脂製の箱形のケース、１２は同じく絶縁樹脂製のレバーで、レバー１２下面の駆動部１２Ｂがケース１１内に収納され、上面の操作部１２Ｃがケース１１の開口部１１Ａから上方に突出している。
【００２４】
また、１３は導電金属薄板製の共通接点、１４は同じく導電金属薄板製の固定接点で、内底面に植設された略Ｔ字状の共通接点１３は、下端が折曲されてケース１１の開口部１１Ａと対向する下内側壁に植設されると共に、固定接点１４はこれと隣接するケース１１の右内側壁に、インサート成形等によって植設固定されている。
【００２５】
そして、共通接点１３下端は左下方向へ延出し、先端の端子部１３Ａがケース１１左下側壁から突出すると共に、上方の左右先端の端子部１３Ｂと１３Ｃは、各々ケース１１の左右側壁から突出し、固定接点１４の端子部１４Ａはケース１１右下側壁から突出している。
【００２６】
さらに、ケース１１の内底面下方には、共通接点１３と所定の間隔で対向した支持突起１１Ｂが形成されると共に、右上方の内底面には円柱状の支持軸１１Ｃが形成され、この支持軸１１Ｃにレバー１２右端部の軸孔１２Ａが挿入されて、レバー１２がケース１１に回動可能に保持されている。
【００２７】
そして、１５はケース１１の深さ寸法よりも細幅の略Ｖ字状で弾性金属薄板製の可動接点で、中間の折曲部１５Ａの一端から延出した第一腕部１５Ｂ先端には、略コの字状に折曲された固定部１５Ｃが設けられ、この固定部１５Ｃがやや撓んだ状態でケース１１の支持突起１１Ｂと共通接点１３の間に挿入保持されると共に、固定部１５Ｃの共通接点１３との対向面には円弧状の突部１５Ｄが設けられ、この突部１５Ｄが共通接点１３に弾接している。
【００２８】
なお、可動接点１５は、略Ｖ字状としたが略Ｌ字状、略Ｕ字状であっても良い。
【００２９】
また、可動接点１５の折曲部１５Ａ他端から延出した第二腕部１５Ｅには切込みが設けられ、この先端に形成された複数の円弧状の接点部１５Ｆが、固定接点１４上方のケース１１右内側壁へ弾接している。
【００３０】
さらに、可動接点１５の折曲部１５Ａ近傍にはレバー１２下面の駆動部１２Ｂが弾接し、操作部１２Ｃ右方のレバー１２上面がケース１１の開口部１１Ａ下面に弾接して位置決めされると共に、これら共通接点１３や固定接点１４、可動接点１５を収納したケース１１の前面をカバー１６が覆い、レバー１２の軸孔１２Ａをケース１１の内底面と平行方向に回動可能に保持して、レバースイッチが構成されている。
【００３１】
そして、このように構成されたレバースイッチは、図３の斜視図に示すように、上下面に複数の配線パターン（図示せず）が形成された配線基板１７上に載置され、レバー１２の操作部１２Ｃが突出したケース１１上側壁以外の複数の側壁、つまり、左右側壁から突出した共通接点１３の端子部１３Ｂと１３Ｃ、下側壁から突出した端子部１３Ａと固定接点１４の端子部１４Ａが、各々所定の配線パターンに半田付けされて、機器の電子回路に電気的に接続される。
【００３２】
以上の構成において、レバー１２上面の操作部１２Ｃを所定の力で、下方向または左方向へ回動操作すると、図４の断面図に示すように、軸孔１２Ａを支点としてレバー１２が下方向に回動するため、この下面の駆動部１２Ｂに折曲部１５Ａ近傍を押圧された可動接点１５が撓み、第二腕部１５Ｅ先端の複数の接点部１５Ｆがケース１１右内側壁を下方へ弾接摺動する。
【００３３】
そして、複数の接点部１５Ｆが固定接点１４に接触し、固定部１５Ｃの突部１５Ｄが共通接点１３に、接点部１５Ｆが固定接点１４に各々弾接した可動接点１５を介して、共通接点１３と固定接点１４との電気的接続が行われる。
【００３４】
なお、この時、レバー１２に極端な力が加わったり、或いは、ケース１１に左右方向から極端な力が加わった場合でも、スイッチは下方向二箇所、及び左右方向二箇所の四箇所で配線基板１７に半田付け固定されているため、配線基板１７から浮き上がることがなく、確実なスイッチ動作を行うことができる。
【００３５】
また、レバー１２の操作部１２Ｃへの操作力を解除すると、可動接点１５の弾性復帰力によって、駆動部１２Ｂが上方向に押圧されてレバー１２が回動すると共に、接点部１５Ｆも上方へ弾接摺動して固定接点１４から離れ、図１の状態に復帰するように構成されている。
【００３６】
このように本実施の形態によれば、共通接点１３及び固定接点１４をケース１１の内底面または複数の内側壁に植設すると共に、これらの端子部１３Ａ，１３Ｂ，１３Ｃや端子部１４Ａをケース１１の複数の側壁から突出させてレバースイッチを構成することによって、これらの複数の端子部を半田付けして、スイッチを配線基板１７等へ装着できるため、レバー１２やケース１１へ多少の力が加わった場合でも、スイッチの配線基板からの浮き上がりを防止でき、スイッチ動作の確実なレバースイッチを得ることができるものである。
【００３７】
また、共通接点１３をケース１１の下内側壁に、固定接点１４をこれと隣接する右内側壁に設けると共に、可動接点１５を略Ｖ字状の弾性金属薄板で形成し、レバー１２の回動操作により第二腕部１５Ｅ先端の接点部１５Ｆが、固定接点１４へ摺動して接離を行うように構成することによって、可動接点１５が固定接点１４に接触した直後から一定の接触圧力が得られるため、接点の接触が安定し確実なスイッチ動作を行うことができる。
【００３８】
そして、可動接点１５の第一腕部１５Ｂ先端の固定部１５Ｃに突部１５Ｄを設け、この突部１５Ｄを共通接点１３に弾接させることによって、可動接点１５と共通接点１３の接続を安定したものとすることができる。
【００３９】
さらに、可動接点１５の第二腕部１５Ｅに切込みを設けて複数の接点部１５Ｆを形成し、この複数の接点部１５Ｆを固定接点１４へ接触させることによって、もし一方の接点部１５Ｆに塵埃等が付着した場合でも、他方の接点部１５Ｆによって固定接点１４との接触が行われるため、可動接点１５と固定接点１４の接触も安定したものとすることができる。
【００４０】
また、レバー１２右端部に軸孔１２Ａを設け、この軸孔１２Ａをケース１１に回動可能に保持することによって、中間部ではなく端部を支点としてレバー１２が回動するため、レバー１２の回動操作量を大きくすることができる。
【００４１】
なお、以上の説明では、レバー１２の回動操作によって、可動接点１５の接点部１５Ｆが固定接点１４へ接触する、所謂プッシュオンタイプの構成について説明したが、これとは逆に、固定接点１４をケース１１右内側壁のもっと上方へ形成し、レバー１２の操作によって可動接点１５が固定接点１４から離れる、所謂プッシュオフタイプのスイッチとしても本発明の実施は可能である。
【００４２】
また、共通接点１３の端子部１３Ａと１３Ｂ，１３Ｃをケース１１の左下側壁と左右側壁、固定接点１４の端子部１４Ａを右下側壁から突出させた構成について説明したが、これ以外にも、例えば、固定接点１４の端子部１４Ａを右側壁から突出させる等、レバー１２の操作部１２Ｃが突出した以外の側壁であれば、ケース１１のいずれの側壁から端子部を突出させても、同様の効果を得ることができる。
【００４３】
さらに、共通接点１３及び固定接点１４の各端子部とは別体に、いずれの接点にも接続されない固定端子部を設け、この固定端子部を、例えば、共通接点１３の端子部１３Ｂ，１３Ｃと同じ側壁から突出しても良く、共通接点１３及び固定接点１４の各端子部ばかりでなく、上記固定端子部も配線基板に固定することができる。
【産業上の利用可能性】
【００４４】
本発明によるレバースイッチは、配線基板からの浮き上がりを防止でき、スイッチ動作の確実性を有し、各種電子機器において、記録媒体の有無やメカニズムの動作検出等に有用である。
【図面の簡単な説明】
【００４５】
【図１】本発明の一実施の形態によるレバースイッチの断面図
【図２】同分解斜視図
【図３】同斜視図
【図４】同操作時の断面図
【図５】従来のレバースイッチの断面図
【図６】同斜視図
【図７】同操作時の断面図
【符号の説明】
【００４６】
１１  ケース
１１Ａ  開口部
１１Ｂ  支持突起
１１Ｃ  支持軸
１２  レバー
１２Ａ  軸孔
１２Ｂ  駆動部
１２Ｃ  操作部
１３  共通接点
１３Ａ，１３Ｂ，１３Ｃ  端子部
１４  固定接点
１４Ａ  端子部
１５  可動接点
１５Ａ  折曲部
１５Ｂ  第一腕部
１５Ｃ  固定部
１５Ｄ  突部
１５Ｅ  第二腕部
１５Ｆ  接点部
１６  カバー
１７  配線基板
【図１】
2004253378.tif 000003
【図２】
2004253378.tif 000004
【図３】
2004253378.tif 000005
【図４】
2004253378.tif 000006
【図５】
2004253378.tif 000007
【図６】
2004253378.tif 000008
【図７】
2004253378.tif 000009